(57)【要約】【課題】スケジュール表と付箋組とを組み合わせることで、スケジュールの変更に対応し易い、スケジュール管理具を提案する。【解決手段】少なくとも開閉自在に連なる表側シートと裏側シートとを有する冊子型スケジュール管理用具であって、  表側シート２及び裏側シート４を開くことで現れる２つのシート面のうちの一方にスケジュール表示エリア８を、また、他方に、付箋保持エリア２４をそれぞれ形成し、  上記スケジュール表示エリア８は、任意の一の方向に延びる時間帯表示セクション１０と、この時間帯表示セクションが表す各時間帯に隣接する付箋貼付用セクション１２とで形成し、  上記付箋保持エリア２４には、或る長さの時間範囲を巾や面積などのサイズで表現する複数種の付箋組２６Ａ…を貼付してあり、各付箋組２６Ａ…は、同じ形状の複数葉の付箋を、その各一端を剥離可能に貼着して重ね合わせてなる。【選択図】図１
2010158882.tif 000002
【特許請求の範囲】
【請求項１】
少なくとも開閉自在に連なる表側シートと裏側シートとを有する冊子型スケジュール管理用具であって、
表側シート２及び裏側シート４を開くことで現れる２つのシート面のうちの一方にスケジュール表示エリア８を、また、他方に、付箋保持エリア２４をそれぞれ形成し、
上記スケジュール表示エリア８は、任意の一の方向に延びる時間帯表示セクション１０と、この時間帯表示セクションが表す各時間帯に隣接する付箋貼付用セクション１２とで形成し、
上記付箋保持エリア２４には、或る長さの時間範囲を巾や面積などのサイズで表現する複数種の付箋組２６Ａ…を貼付してあり、各付箋組２６Ａ…は、同じ形状の複数葉の付箋を、その各一端を剥離可能に貼着して重ね合わせてなることを特徴とする、冊子型スケジュール管理用具。
【請求項２】
表側シート２及び裏側シート４を開くことで現れるシート面の一部に付箋仮留めエリア１８を形成したことを特徴とする、請求項１記載の冊子型スケジュール管理用具。
【請求項３】
平らな板材又はシートで形成する基材４０を含み、この基材の表面を、その面内の相互に直交する第１の方向及び第２の方向に対してメモ書きを表示するために十分な広さとして、メモの書込み可能な付箋を貼るためのスケジュール管理用図形を描いたスケジュール管理用具であって、
上記スケジュール管理用図形は、付箋本止め用のスケジュール表示エリア８と付箋仮留めエリア１８とで構成され、これらスケジュール表示エリア８及び付箋仮留めエリア１８は、第１の方向に長い２つの長方形状の領域であって、各長方形の長辺側の端部が相互に向かい合うように形成され、
かつスケジュール表示エリア８は、上記長方形状の領域全体を第２の方向に延びる複数の分割線４２によって第１の方向に等間隔に分割することで、また付箋仮留めエリア１８は、少なくとも長辺側の端部を区切る輪郭線４６を有することで、それぞれ視覚的に相互に区別できるように形成されており、
さらにスケジュール表示エリア８は、その長方形状の領域の長辺側の一方端部を、時間帯を表示するためのセクション１０とし、また残りの部分を付箋貼付用セクション１２として区分し、
かつ付箋貼付用セクション１２の第２の方向の巾W1に比べて分割線４２同士の間隔Pを小とすることを特徴とする、スケジュール管理用具。
【請求項４】
上記付箋貼付用セクションの第２の方向の巾W１と、付箋仮留めエリアの第２の方向の巾W２とを、付箋の長さ方向に相応するほぼ同程度の長さとしたことを特長とする、請求項３記載のスケジュール管理用具。
【請求項５】
上記基材の他に、付箋の束を取り付けた平板又はシートである補助材５０を含むことを特長とする、請求項３記載のスケジュール管理用具。
【発明の詳細な説明】
【技術分野】
【０００１】
本発明は、冊子型、シート型、スタンド型などの各種形態のスケジュール管理用具、特に一日のスケジュールを調整するために適したスケジュール管理用具に関する。
【背景技術】
【０００２】
曜日欄とスケジュール記入欄とを一対一に対応させたスケジュール表を、手帳にしたものはよく知られている（特許文献１）。
【０００３】
また手帳型の台紙に、複数の付箋組をセットした付箋ファイルも知られている（特許文献２）。各付箋組は、複数葉の付箋を、その各一端で剥離可能に貼着して重ね合わせている。
【先行技術文献】
【特許文献】
【０００４】
【特許文献１】特開２００６−３４６８９２号
【特許文献２】特開平１０−２１７６４０号
【発明の概要】
【発明が解決しようとする課題】
【０００５】
スケジュール表も付箋ファイルも便利なものであるが、従来これらを組み合わせた利用法はあまり考えられてこなかった。書籍などにメモ書きの付箋を付して、書類を書き込みにより汚さずに情報を蓄えるということは良く行われるが、スケジュール表はそれ自体がメモを書き込むためのものであり、付箋を設ける必要が少ないからであろう。しかしながら、近年例えば企業活動においては、残業時間を減らして本来の勤務時間を有効に使うために、スケジュール管理術が見直されている。仕事の優先順位を考え、一日の仕事の計画（スケジューリング）に時間を割くことで全体としての仕事時間を少なくすることが重要視されている。そうしたスケジューリングの作業では、或る程度スケジュールを組んだ後で用事を思い出したり、又は新たな用事が発生することが多く、予定を書いては消すということを繰り返すと時間の無駄である。
【０００６】
本発明の第１の目的は、スケジュール表と付箋組とを組み合わせることで、スケジュールの変更に対応し易い、冊子型スケジュール管理具を提案することである。
【０００７】
本発明の第２の目的は、ある長さの時間をサイズで表す付箋を複数種用いることで、スケジュールの組み立てを容易に行えるようにした冊子型スケジュール管理具を提供することである。
【０００８】
本発明の第３の目的は、スケジュール表示エリアに付箋を貼り付ける前に予定入りの付箋を仮留めするスペースを有する冊子型スケジュール管理用具を提案することである。
【０００９】
本発明の第４の目的は、付箋を本留めする領域と仮留めする領域とを含むスケジュール管理用具であり、付箋の貼付箇所及び付箋のサイズ（巾）に対応して、各スケジュールの時刻及び所要時間を表現することが可能なものを提案することである。
【００１０】
本発明の第５の目的は、付箋を本留めする領域及び仮留めする領域を含むスケジュール管理用具であって、両領域間の付箋の付替えが容易なものを提案することである。
【００１１】
本発明の第６の目的は、付箋を本留めする領域及び仮留めする領域を含むスケジュール管理用具であって、仮留め領域に付箋を配列させ易いものを提案することである。
【課題を解決するための手段】
【００１２】
第１の手段は、少なくとも開閉自在に連なる表側シートと裏側シートとを有する冊子型スケジュール管理用具であって、
表側シート２及び裏側シート４を開くことで現れる２つのシート面のうちの一方にスケジュール表示エリア８を、また、他方に、付箋保持エリア２４をそれぞれ形成し、
上記スケジュール表示エリア８は、任意の一の方向に延びる時間帯表示セクション１０と、この時間帯表示セクションが表す各時間帯に隣接する付箋貼付用セクション１２とで形成し、
上記付箋保持エリア２４には、或る長さの時間範囲を巾や面積などのサイズで表現する複数種の付箋組２６Ａ…を貼付してあり、各付箋組２６Ａ…は、同じ形状の複数葉の付箋を、その各一端を剥離可能に貼着して重ね合わせてなる。
【００１３】
本手段では、スケジュール表示表と付箋とを併用した冊子型スケジュール管理用具を提案している。「冊子型」とは、冊子のような形の（冊子状の）という意味であり、冊子そのものではない。図示のように裏側（又は表側）シートを延長して内側に折り返す構造としてもよい。又、図示はしていないが、表側シート及び裏側シートだけではなく、１枚又は２枚以上の中間シートを有していてもよい。また、本発明の他の特徴は、付箋のサイズが時間を表していることである。サイズ（付箋の短辺巾又は面積）が大きいほど長い時間を表すように設計するとよい。サイズは表す時間と比例するようにしてもよい。
【００１４】
「表側シート２及び裏側シート４を開くことで現れる２つのシート面」とは、表側シート及び裏側シートの各内面であってもよいが、後述の如く両シートの間に中間のシートを綴じこんでその表面に付箋保持エリア及びスケジュール表示エリアを形成してもよい。要するに表裏両シートを閉じたときに、付箋保持エリアに保持される付箋、及び、スケジュール表示エリアに付した付箋が、人の身体などに触れて脱落しないようにできればよいのである。「２つのシート面」とあるが、少なくとも２つのシート面ということである。
【００１５】
「付箋」は、そのサイズ（面積又は巾）が凡その時間を表す役割を有する。好適な一例として、付箋の巾がスケジュール表示エリアの時間帯と対応して一定の時間単位を表す長さを有するものとするとよい。例えば各付箋の短辺巾が時間帯の長さの（１／Ｎ）倍又はＮ倍であるとよい（但しＮは整数とする）。
【００１６】
第２の手段に係る発明は、第１の手段を有し、かつ
表側シート２及び裏側シート４を開くことで現れるシート面の一部に付箋仮留めエリア１８を形成している。
【００１７】
スケジュールを作るときには、まず思いつく限りの予定を付箋に書き込み、書き尽した後にスケジュール表の組み立てを行うことが有利である。その場合に予定を書き込んだ付箋を一時的に付箋仮留めエリアに貼付しておくことができれば便利である。この付箋仮留めエリアを利用することで、複数の予定を効率よく組み合わせたスケジュールを立て、仕事時間全体を短縮することができるとともに、スケジューリングの作業において付箋の位置の変更することができるからである。
【００１８】
付箋仮留めエリアは、矩形に形成し、その隣り合う２辺の一方又は双方に沿って優先順位の程度を表す優先指標を形成することが望ましい。優先指標の要素としては、重要性、緊急性、難易度、成果度などさまざまな要素が考えられる。優先指標を用いることで、仮留めすると同時に、これはどの程度重要であるかなどと考え、整理することが可能なのでスケジューリングを更に効率化することができる。
【００１９】
第３の手段は、
平らな板材又はシートで形成する基材４０を含み、この基材の表面を、その面内の相互に直交する第１の方向及び第２の方向に対してメモ書きを表示するために十分な広さとして、メモの書込み可能な付箋を貼るためのスケジュール管理用図形を描いたスケジュール管理用具であって、
上記スケジュール管理用図形は、付箋本止め用のスケジュール表示エリア８と付箋仮留めエリア１８とで構成され、これらスケジュール表示エリア８及び付箋仮留めエリア１８は、第１の方向に長い２つの長方形状の領域であって、各長方形の長辺側の端部が相互に向かい合うように形成され、
かつスケジュール表示エリア８は、上記長方形状の領域全体を第２の方向に延びる複数の分割線４２によって第１の方向に等間隔に分割することで、また付箋仮留めエリア１８は、少なくとも長辺側の端部を区切る輪郭線４６を有することで、それぞれ視覚的に相互に区別できるように形成されており、
さらにスケジュール表示エリア８は、その長方形状の領域の長辺側の一方端部を、時間帯を表示するためのセクション１０とし、また残りの部分を付箋貼付用セクション１２として区分し、
かつ付箋貼付用セクション１２の第２の方向の巾W1に比べて分割線４２同士の間隔Pを小としたことを特長としている。
【００２０】
本手段では、付箋を必須の構成要件から外す代わりに、スケジュール表示エリアと付箋仮留めエリアとを組み合わせて、スケジュール管理に適した用具を提案している。先の手段の記載事項もその性質に反しない限り本手段に援用する。本手段の用具の第１の特長は、第１の方向（図４では縦方向）に長い長方形状の領域に形成したスケジュール表示エリアを、第２の方向（同図の横方向）の分割線で等分割したことである。一の時間単位に相当する分割線の間隔と等しい巾の付箋を貼ることで一の時間単位を表すことができる。第２の特長は、第１の方向に長いスケジュール表示エリアと付箋仮留めエリアとを、第２の方向に各長辺を対向させて並べたことである。これにより２つのエリアが一度に利用者の中心視野（視野のうち認識レベルの高い部分）に入るから、また付箋エリアからスケジュール表示エリアへ付箋を移動する距離が短くなるから、付箋の張替え作業が容易となる。第３の特長は、第２の特長と相まって、スケジュール表示エリアの付箋貼付用セクションの第２の方向の巾W1に比べて分割線同士の間隔Pを小としたことである。これにより分割線の間の時間目盛りの数を多くすることができる。
【００２１】
本手段のスケジュール管理用具の態様は、上記の特長を有する限り自由であり、図４に示す単一のシート型、図７の如く２枚のシートの間に付箋を挟むファイリング型、図８の如く面の上に置くスタンド型などの形態が可能である。またスケジュール表示エリアと付箋仮留めエリアとは視覚的にその機能を有すれば足りる。付箋仮留めエリアを区画する輪郭線は基材に印刷したものであってもよいが、図１の実施形態にいう折り目線であってもよい。また基材の縁が付箋貼付エリアの輪郭の一部となっていてもよい。付箋仮留めエリアは、図３に示すマトリックス（行列）様に区分されたタイプでもよい。
【００２２】
第４の手段は、第３の手段を有し、かつ
上記付箋貼付用セクションの第２の方向の巾W１と、付箋仮留めエリアの第２の方向の巾W２とを、付箋の長さ方向に相応するほぼ同程度の長さとしている。
【００２３】
本手段では、付箋貼付用セクション及び付箋仮留めエリアの第２の方向の巾を限定する。これらは付箋貼付領域だから、少なくとも長手方向の「付箋の長さ」に相応する巾を有すればよい。付箋の長さは任意なので、本手段の実質的な要件は、それらセクション及びエリアの第２の方向の巾がほぼ同じということである。付箋貼付用セクションと同程度の巾を有するために、この巾に相当する長さの付箋を貼付するときに、利用者は、図４の如く第１の方向へ複数の付箋を配列することになる。第１の方向に巾方向が相応させて隙間なく配列した複数の付箋の巾の総和がスケジュール表示エリアの何目盛り分に相当するかを見比べることで、仮留め状態のスケジュール全部を実行するための時間を容易に概算できる。一方の巾が他方の±２０％の範囲であれば機能的には「ほぼ同じ」という範囲に入る。
【００２４】
第５の手段は、第３の手段を有し、かつ上記基材の他に、付箋の束を取り付けた平板又はシートである補助材５０を含む。
【００２５】
本手段では、先の手段でいう付箋表示エリアに相当する補助材を提案している。この補助材は、図６に示すように基材から分離した別部材でもよく、図８に示す如く基材に連続している一体物であってもよい。詳しい構成は実施形態の欄で述べる。
【発明の効果】
【００２６】
第１の手段に係る発明によれば、次の効果を奏する。
○スケジュール表示エリア８と付箋保持エリア２４とを組み合わせたから、付箋を利用したスケジュールの組み立て及び変更を容易に行うことができる。
○付箋はサイズにより或る時間範囲を表示するものとしたから、例えば時刻が固定した仕事の間の隙間を、予定で埋めるのに便利である。
【００２７】
第２の手段に係る発明によれば、付箋仮留めエリア１８を設けたので、予定入りの付箋を書き溜めてから、スケジュール作りを行うことができ、使い勝手がよい。
【００２８】
第３の手段に係る発明によれば次の効果を奏する。
○スケジュール表示エリア８は、長方形状の領域を複数の分割線４２で等間隔に分割することで構成したから、所定の時刻に対応した場所に付箋を貼付することが容易である。
○スケジュール表示エリアと付箋仮留めエリアは各長辺を対向するようにしたから、それら両エリアが一度に中心視野に入り、スケジュールの組み立て作業が簡単である。
【００２９】
第４の手段に係る発明によれば、付箋仮留めエリア１８及びスケジュール表示エリアの付箋貼付用セクションの各第２の方向の巾をほぼ同程度の長さとしたから、複数の付箋の巾の総和から付箋の用事を処理するための時間を容易に概算することができる。
【００３０】
第５の手段に係る発明によれば、上記基材４０の他に、付箋の束を搭載した平板又はシートである補助材５０を含むから、使い勝手がよい。
【図面の簡単な説明】
【００３１】
【図１】本発明の第1の実施形態に係る冊子型スケジュール管理用具の一部折曲げ状態での内面図である。
【図２】図１の冊子型スケジュール管理用具の展開状態での内面図である。
【図３】本発明の第２の実施形態に係る冊子型スケジュール管理用具の展開状態での内面図である。
【図４】本発明の第３の実施形態に係るシート型のスケジュール管理用具の正面図である。
【図５】図４のスケジュール管理用具の使用状態の説明図である。
【図６】図４のスケジュール管理用具の付属品の正面図である。
【図７】本発明の第３の実施形態に係るファイリングのスケジュール管理用具の正面図である。
【図８】本発明の第４の実施形態に係るスタンド型のスケジュール管理用具の正面図である。
【図９】図８のスケジュール管理用具の側面図である。
【発明を実施するための最良の形態】
【００３２】
図１は、本発明の第１実施形態に係る冊子型スケジュール管理用具を示している。
【００３３】
この冊子型スケジュール管理用具は、表側シート２と裏側シート４とを背部６を介して連続している。もっともノートなどで周知の如く両シートを螺旋状の金具などで連結しても構わない。そうして表側シート・裏側シートだけでなく、その間にはさむ中間のシートを綴じこんでもよい。表側シート及び裏側シートの素材は紙、合成樹脂など適宜選択できる。
【００３４】
上記表面シート２の内面には、スケジュール表示エリア８を形成する。このスケジュール表示エリア８は、時間帯表示セクション１０と、付箋貼付用セクション１２とで形成されている。
【００３５】
上記時間帯表示セクション１０は、好適な一例として、縦方向に延びる升目となっており、各升の大きさは一定である。図示例では、各升目に利用者が時間帯を表す数字を書き込むことができるようになっている。もっともそれらの数字を予め印刷しておくことも可能である。時間表示セクションのデザインを升目以外とすることも出来る。升目によって区画される時間帯１４は、後述の付箋の短辺巾に対応する長さとすることが望ましい。少なくとも最も小さい付箋の短辺巾以上の長さを有していることが好適である。そうすることで時間帯に対応付けて付箋を貼り付けることが容易となる。
【００３６】
上記付箋貼付エリア１２は、時間帯表示セクションの各升目に対応し、升目と連続して横方向に帯状に延びている。
【００３７】
上記裏側シート４は、表側シート２の二倍程度に長く、折り目線１６を介して連続する基部４ａと先部４ｂとで形成されている。下端部を除く裏側シート部分の内面には、２つの付箋仮留めエリア１８Ａ、１８Ｂを形成している。本実施形態では、第１の付箋仮留めエリア１８Ａには、本日必ずしなければならない事項を、また第２の付箋仮留めエリア１８Ｂには、締め切りは先であるが本日中に実行したい事項を記載するようにしている。また付箋仮留めエリアの傍らには、一つの優先指標２２が記載されている。この指標は付箋仮留めエリアの一つの辺方向に、ある優先順位の要素の高低を表す目印を表示したものである。この優先指標の内容は適宜変更できる。更に図示例では、裏側シート４の下端部に、補助的な付箋仮留めエリア１８ｃを設けている。例えば私用の用事、或いは特定の用事と関係ないアイディアなどを付箋に書いてここに貼付することができる。
【００３８】
上記裏側シート４の先部４ｂ外面には、付箋保持エリア２４を形成する。この付箋保持エリア２４は、上記折り目線１６で先部４ｂを表側シート２と裏側シートの基部４ａとの間に折り込むことで、外部の物体との接触から保護される。上記付箋保持エリア２４には、３種類の付箋組２６Ａ、２６Ｂ、２６Ｃが貼着されている。第１の付箋組２６Ａは所要時間３０分程度の用事に、第２の付箋組２６Ｂは、所要時間１時間程度の用事に、第３の付箋組２６Ｃは、所要時間１時間以上の用事に用いる。第２の付箋組２６Ｂの短辺巾は、時間帯表示セクションの時間帯１４の長さと略同程度であり、また、第１の付箋組２６Ａの短辺巾は、その半分程度である。第３の付箋組２６Ｃの短辺巾は第２の付箋組の短辺巾の約２倍近くある。図示例では、各種毎に複数の付箋組を付箋保持エリアに貼付している。付箋組は、従来公知の如く各付箋の一端部裏面に着脱自在な剥離可能に粘着層として複数葉の付箋を重ね合わせてなる。各種の付箋組には、行うべき時刻が固定された用事を表す第１の色のもの（図面状では散点状に示した）、及び任意の時刻に行えばよい用事を表す第２の色のものとがある。
【００３９】
上記の構成において、図１の状態で付箋表示エリアの付箋を必要数とって用事を記入し、次に図１の状態から裏側シート４の先部を外方に開くと、図２の如く付箋仮留めエリア２４に用事入りの付箋２８を貼り付ける。その際に重要な案件ならば仮留めエリアのうち上の方に、重要でない案件ならば下の方に付箋２８を貼付する。全ての用事を付箋に書き出したら、スケジュール表示エリア８のうちの該当する時間帯の付箋貼付用セクション１２に貼り付ける。時間が決まっている仕事の付箋を最初に貼り付け、次に時間の自由度がある付箋を空いている場所に貼り付ければよい。スケジュール管理術においては、優先順位を考えた上で実行順序を付けることが重要であるが、必ずしも優先順位＝実行順序ではない。スケジューリングを行うときには、例えば（イ）スケジュールが過剰に密になったり逆に空き時間を生ずるということを避ける、（ロ）効率よく作業できるように処理の順番を決める、（ハ）短時間で（例えば始業前の１０分程度で）スケジューリングを完了することが求められる。そうすることで結局全体の仕事時間を短縮することができ、無駄な残業が減るので、個人としても会社としてもメリットがある。本発明のスケジュール管理用具を使用した場合には、付箋２８は、おおよそ一定の時間単位（図示例では３０分、６０分など）を表しているので、スケジュールの空きが視覚的に認識することが可能である。この特長は、上述の空き時間を避けるなどの（イ）の要請を満たす上で好適である。また、付箋は着脱自在なので、スケジュールの作成中に、スケジュール表示エリア８上で容易に各予定を表す付箋を順序を入れ替えることができる。この特長は、上述の処理の順番の最適化という上記（ロ）の要請を満たす上で好適である。付箋の着脱自在性は付箋の仮留めを可能とする。手帳に予定を時系列的に書いては消す場合に比べれば手間が解消され、スケジューリング時間の短縮という上記（ハ）の要請も満たされる。
【００４０】
また、図１の状態から表側シートと裏側シートとを閉じれば、内部の付箋が保護され剥がれ、落ちることを防止できる。またこの状態でどこへでも携帯することができる。
【００４１】
以下、本発明の他の実施形態を説明する。これらの説明において、第１の実施形態と同じ構成については、同一の符号を付することで解説を省略する。
【００４２】
図３は、本発明の第２の実施形態を示している。この実施形態は、付箋仮留めエリア１８の変形例であり、矩形のエリアの隣り合う２辺に沿ってそれぞれ異なる優先指標２２、２２を設けたものである。そして付箋仮留めエリアは、図示例では２行２列のマトリックス（行列）様に区分されている。行方向の優先指標は緊急性を、列方向の優先指標は重要度を表す。従って重要で緊急なものは、図面での付箋仮留めエリアの左上に留め、その逆の案件は図面での同エリアの右下に留めることになる。同図中の３０は、仕切り線であり、仕切り線と折り目線１６とで付箋仮留めエリア１８を縦横に区画している。もっともこの仕切り線は省略してもよい。
【００４３】
図４から図５は、本発明の第３の実施形態に係るスケジュール管理用具を示している。このスケジュール管理用具は、単一のシート（又は平板）である基板４０で形成されている。図示例のものは、図５に示す如く手帳Nのページとして挟み込むタイプであるが、壁掛け型又は自立型のボードタイプや下敷きのようにノートなどにはさんで携帯するタイプなど様々な態様とすることが可能である。
【００４４】
基材４０は、全体として縦方向（第１の方向）に長い長方形であって、紙やプラスチックで形成することができる。図示例では、基材の一端部に手帳の金具に閉じるための固定孔４１を穿設している。一端部を除く基板部分の一面は、２つの縦長の長方形状の領域に区分して、これら各領域をそれぞれスケジュール表示エリア８及び付箋仮留めエリア１８にしている。これらスケジュール表示エリアと付箋仮留めエリアとを、スケジュール管理用図形として一の面に描くことでスケジュール管理を効率的に行うことができる。前述の如くこの図形は必ずしもその全部を線図で形成する必要はない。
【００４５】
スケジュール表示エリア８は、横方向（第２の方向）の多数の分割線４２を形成しており、これにより周囲と視覚的に区別できる。またスケジュール表示エリア８は、長辺側の一方の端部を時間帯表示セクション１０とし、残りの部分を付箋貼付セクション１２として区分線４４により区分されている。付箋貼付セクション１２のうち分割線により分割される各矩形部分Ｓは、横方向（第２の方向）に細長い長方形であり、個々の用事を書き込むためのサイズを有する付箋と同程度の長さを備える。上記矩形部分Ｓを横長に形成する理由は、時間目盛の数を多くするためである。
【００４６】
図示例では、区分線４４で時間帯表示セクション１０と付箋貼付セクション１２とは区分している。しかしながら区分線を省略する代わりに、図示例で示す時間帯表示セクションの各升目に時刻を数字を表す文字を大きく描いてもよい。数字を隠さずに付箋を貼ることができるところが付箋貼付セクションである。
【００４７】
付箋仮留めエリア１８は、図示例では長方形の領域を輪郭線４６で周囲から区画されている。もっとも輪郭線のうち短辺側の部分は省略することができる。また長辺のうちスケジュール表示エリア８から反対側の部分は、基材の縁で兼ねることができる。また図示例の付箋仮留めエリア１８は、上半部を本日のスケジュール用、下半部を明日のスケジュール用と区分しているが、必ずしもこのようにする必要はない。
【００４８】
上述のスケジュール管理用図形は基材４０の一面の全部又は一部に設ける。図示例の手帳用シートは、比較的小さい手帳（例えばA6〜B７）を想定しているので、基板の一面の略全体をスケジュール管理用図形としている。しかし、大型の手帳やホワイトボードなどの基板において、表面の小さな部分をスケジュール管理用図形とし、残りの部分を他の用途に使用できるように構成することが可能である。
【００４９】
上記構成のスケジュール用具を使用するときには、複数の用事を複数の付箋にそれぞれ書き込み、付箋仮留めエリア１８に貼付していく。必須ではないが、用事の所要時間に応じて、３０分の巾を有する付箋、６０分の巾を有する付箋を使い分けることが好適である。付箋仮留めエリア１８の横方向（第２の方向）の巾は、付箋の長さに相応しているため、各付箋は、長手方向を横向きにして、縦方向（第１の方向）に並べるように貼付することが好適である。付箋を隙間なく配列することで、付箋仮留めエリアに貼った付箋の用事全体を終わるための所要時間が容易に概算できる。
【００５０】
全ての用事を付箋に書き込み、仮留めした後に、各用事のうち時刻の指定があるものを付箋仮留めエリア１８からスケジュール表示エリアの所定の目盛りの箇所へ移動する。本実施形態では、移動距離が短いので、張替えは容易に行われる。次に時刻が指定されていない付箋を、付箋貼付用セクションのうち空白の箇所へ埋めていく。縦方向（第１の方向）の空白の長さと付箋の巾Dとを見比べて、図４に矢示する如く、空白長さよりも巾が短い付箋をその空白に入れていけばよい。スケジュール表示エリア８と付箋仮留めエリア１８とが横方向に並んでいるから、空白長さと付箋の巾とを見比べることも簡単である。
【００５１】
図６は、付箋の束を貼り付けるためのシート状の補助材５０である。図示例のものは、図４及び図５に示す基材４０と同様に手帳Nに差し込み、固定できるように形成している。同一寸法・同一形状の基材４０及び補助材５０の組として、スケジュール管理用具を構成することができる。
【００５２】
図７は、本発明の第４の実施形態である。本実施形態は、矩形の基材４０とこれと同形状の透明な表材５２との各一端を連結し、その間に物を挟む（ファイリング）ことができるようにしている。基材４０の上面に図４及び図５のスケジュール管理用図形を描いている。基材４０の上面に付箋を貼り付けてスケジュール表とし、その上から表材５２で覆うことで付箋が剥がれることを防止できる。このスケジュール管理用具は、マウスパッド或いはディスクカバーとして構成することができる。
【００５３】
図８及び図９は、本発明の第５の実施形態に係るスケジュール管理用具を示している。このスケジュール管理用具は卓上カレンダーを兼ねている。まず従来公知の事項について説明すると、この卓上カレンダーは、図９に示すように側方からみて背の高い二等辺三角状の基筒５４と、この基筒の先端に貫通したリング状金具５６と、月毎のカレンダー用紙５８とを有する。カレンダー用紙の表面５８Ａにはカレンダーを印刷し、月ごとにカレンダー用紙を捲って使用する。
【００５４】
本発明においては、図４及び図５に記載したスケジュール管理用図形を描いた基材４０の上端にフック６０を設け、このフックを基筒の上端部に係止して、基材４０をカレンダー用紙の裏側に基材４０をもたせ掛ける。また基材４０の下端に、付箋を取り付けた補助材５０を連結テープなどで連係させている。もっともこの補助材は省略してもよい。使用するときには補助材付きの基材４０を、基筒から持ち上げ、カレンダー用紙を捲ったのちに基材４０に戻せばよい。
【符号の説明】
【００５５】
２…表側シート  ４…裏側シート  ４ａ…基部  ４ｂ…先部
６…背部  ８…スケジュール表示エリア
１０…時間帯表示セクション  １２…付箋貼付用セクション  １４…時間帯
１６…折り目線
１８…付箋仮留めエリア  ２２…優先指標  ２４…付箋保持エリア
２６Ａ、２６Ｂ、２６Ｃ…付箋組  ２８…付箋  ３０…仕切り線
４０…基材  ４１…固定孔  ４２…分割線  ４４…区分線
４６…輪郭線  ５０…補助材  
５２…表材  ５４…基筒  ５６…金具  ５８…カレンダー用紙  ５８Ａ…同表側
６０…フック  
N…手帳  Ｔ…付箋
【図１】
2010158882.tif 000003
【図２】
2010158882.tif 000004
【図３】
2010158882.tif 000005
【図４】
2010158882.tif 000006
【図５】
2010158882.tif 000007
【図６】
2010158882.tif 000008
【図７】
2010158882.tif 000009
【図８】
2010158882.tif 000010
【図９】
2010158882.tif 000011